(57)【特許請求の範囲】
【請求項１】
傾斜磁場発生系を含む靜磁場発生系、被検体に照射する高周波送信コイルを含む送信系、前記被検体からの磁気共鳴信号を検出する高周波受信コイルを含む受信系、前記検出信号により前記被検体の物理的特性画像を得る信号処理系、及び、静磁場発生手段を内蔵する装置本体、並びに、横臥した前記被検体を保持する寝台と、を有する磁気共鳴イメージング装置であって、
前記静磁場発生系による発生磁束と直交する前記装置本体の所定位置方向に対し、前記寝台の長手方向が略直角の関係を保持するごとく、前記装置本体と前記寝台とが配置され、該寝台が前記所定位置に移送され、
前記寝台上に前記被検体を載置する天板が設けられ、
前記寝台を前記所定位置に移送する第１の移動調整手段を有し、該第１の移動調整手段は、前記装置本体と前記寝台との間に配置され、前記寝台全体を前記被検体の撮影可能位置まで移動させる案内手段を有する
ことを特徴とする磁気共鳴イメージング装置。
【請求項２】
前記第１の移動調整手段は、前記寝台を前記装置本体に固定する接続手段と、前記寝台を支持し移動する車輪を有することを特徴とする請求項１記載の磁気共鳴イメージング装置。
【請求項３】
前記寝台は、さらに前記所定位置方向に対し、前記寝台の長手方向が略平行の関係を保持するごとく、前記装置本体に対して配置可能であり、該寝台を挿入方向と略直交方向にスライドさせる第２の移動調整手段をさらに有することを特徴とする請求項１または２記載の磁気共鳴イメージング装置。
【請求項４】
前記第２の移動調整手段は、前記寝台が該寝台の長手方向と略直角の方向に移動可能のように案内するスライドガイドを備えていることを特徴とする請求項３記載の磁気共鳴イメージング装置。
【発明の詳細な説明】
【０００１】
【発明の属する技術分野】
本発明は、磁気共鳴イメージング装置（ＭＲＩと略称することもある）に関連し、特にＩＶＲ、すなわち、画像診断におけるカテーテルなどによる治療術技の実施に好適な前記装置用寝台の構造に関する。
【０００２】
【従来の技術】
従来の磁気共鳴イメージング装置は、寝台と静磁場発生装置とが一体に形成されており、室内の床上に据付けて設置した固定フレームと、これに対向して移動する上部フレームとから構成されている。上部フレームは、油圧シリンダによって被検体荷重を支持すると共に、パンタグラフを用いて所要の移動軌跡を形成するようになっている。また、上部フレームには、被検体、例えば、人体が横臥する天板を被検体の体軸方向に移動可能にする構造を有している。
従って、被検体を撮影可能な領域に移動させるには、天板のみを前記体軸方向に移動させるのである。他に、ガントリ（磁石本体）から支持レールを設け、その上で寝台上部をスライドさせる構成例もある。
【０００３】
【発明が解決しようとする課題】
従来技術の前者には以下のような問題点があった。例えば、天板上に被検体を載置した寝台を診断装置内に移送して撮影するとき、天板のみは移送量だけ診断装置から引き込まれるが、寝台本体は移動せずに留まっているため、診断装置から突出している突出量は変化しない。またガントリに支持レールを設けた後者の従来技術は、ガントリから支持レールが突出している。
従って、限られた撮影室内の操作空間は、寝台が診断装置内に収容された状態になっても広くならず、ＩＶＲによる治療術技の実施には、狭隘となり操作性を阻害していた。また、設置スペースの面では、ガントリの奥行き寸法と寝台の長手寸法の加算値と、ガントリの幅寸法により、広い設置スペースが必要になってくる。さらに、設置室によっては、縦長方形、正方形など形状も区々であり、種々の設置室の形状に対応した最適なガントリと寝台の関係が得られ難い状況にあった。本発明は、装置室の色々な形状に対応し、ＩＶＲ等の操作空間を拡大するに好適な磁気共鳴イメージング装置用寝台を提供することを目的としている。
【０００４】
【課題を解決するための手段】
前記課題を解決するために本発明は、寝台と静磁場発生装置を有する磁気共鳴イメージング装置において、寝台の長手方向と、静磁場発生装置の、発生磁束と直交する装置内の所定位置方向とが、互いに略平行の関係を保持するように位置設定する移動調整手段と、互いに略直角の関係を保持するように位置設定する移動調整手段とを有するものである。すなわち、静磁場発生装置の、発生磁束と直交する装置内の所定位置方向に向かって、寝台の長手方向が略平行、または、略直角になるように寝台を移動可能の構造とし、被検体を載置した天板を被検体の撮影可能位置まで移動可能のように係装する部材を設けると共に、寝台の重量を支持する車輪を設けて、寝台を静磁場発生装置に対して縦横方向に移動と固定が可能となるように構成したものである。これにより、磁気共鳴イメージング装置のガントリの発生磁束に対して直交する方向から選択的に、寝台をアクセスすることが可能のようにセッティングすることができる。
【０００５】
【発明の実施の形態】
図１は本発明に係る磁気共鳴イメージング装置の全体構成を示すブロック図である。
この磁気共鳴イメージング装置は、磁気共鳴（ＮＭＲ）現象を利用して被検体１の断層画像を得るもので、必要にして十分大きなボア径を備えた静磁場発生系２、シーケンサ７、中央処理装置（ＣＰＵと略記する）８、傾斜磁場発生系３、送信系４、受信系５、信号処理系６などからなる。静磁場発生系２は、被検体１の周りにその体軸方向、または、体軸と直角方向に均一な磁束を発生させるもので、被検体１の周りに所定の広がりをもつ空間に、永久磁石方式、帯電導方式、あるいは、超電導方式による磁場発生手段が配置されている。
【０００６】
シーケンサ７は、ＣＰＵ８の制御により動作し、被検体１の断層画像のデータ収集に必要な種々の命令を送信系４、傾斜磁場発生系３、並びに受信系５に送るものである。
【０００７】
送信系４は、高周波発振器１１、変調器１２、高周波増幅器１３、送信側高周波コイル１４ａからなり、高周波発信器１１から出力された高周波パルスを、シーケンサ７の命令に従って、変調器１２で振幅変調し、振幅変調された高周波パルスを高周波増幅器１３により増幅した後、被検体１に近接して配置された高周波コイル１４ａ（送信側）に供給することにより、電磁波が被検体１に照射されるようになっている。
【０００８】
傾斜磁場発生系３はＸ、Ｙ、Ｚの３方向に巻回した傾斜磁場コイル９、９と、それぞれのコイルを駆動する傾斜磁場電源１０とからなり、シーケンサ７からの命令により、Ｘ、Ｙ、Ｚ方向のコイルの傾斜磁場電源１０を駆動し、Ｘ、Ｙ、Ｚ方向の傾斜磁場Ｇｘ、Ｇｙ、Ｇｚを被検体１に印加するようになっている。この傾斜磁場への印加により被検体１に対するスライス面を設定することができる。
【０００９】
受信系５は、高周波コイル１４ｂ（受信側）、増幅器１５、直交位相検波器１６、Ａ／Ｄ変換器１７からなり、送信側の高周波コイル１４ａから照射された電磁波による被検体１の応答電磁波（ＮＭＲ）信号を被検体１に近接して配置された、受信側の高周波コイル１４ｂで検出し、増幅器１５及び直交位相検波器１６を介してＡ／Ｄ変換器１７に入力しデジタル量に変換する。この際、Ａ／Ｄ変換器１７は、シーケンサ７からの命令によるタイミングで、直交位相検波器１６から出力された２系列の信号をサンプリングし、２系列のデジタルデータを出力する。これらのデジタル信号は、信号処理系６に送られフーリエ変換されるようになっている。
【００１０】
信号処理系６は、ＣＰＵ８と、磁気ディスク１８、磁気テープ１９等の記録装置と、ＣＲＴ等のディスプレイ２０からなり、前記デジタル信号を用いてフーリエ変換、補正係数計算、像の再構成等の処理を行ない、任意断面の信号強度分布あるいは、複数の信号に適当な演算を行なって得られた分布を画像化してディスプレイ２０に表示するようになっている。
【００１１】
本発明の実施の形態を図２、図３、図４を用いて詳細に説明する。図２は静磁場発生装置５１内の、発生磁束と直交する所定位置方向に対して寝台５２を縦方向に配置した斜視図、図３は、静磁場発生装置５１内の、発生磁束と直交する所定位置方向に対して寝台５２を横方向に配置した斜視図である。図２、図３に示した寝台５２は同一のものである。図４は、図３に示した寝台５２を横方向に配置したときのガイド機構を示す斜視図である。
【００１２】
図２において、寝台５２は、横臥する被検体１（図１参照図示せず）を載置する天板５４は、両側２本のサイドフレーム５３、５３に沿って矢印Ｙ方向に移動可能に支持されている。２本のサイドフレーム５３、５３はベースフレーム５５に溶接固定され、その間隔を保持するように構成されている。また、ベースフレーム５５の下部に、それぞれ４個のキャスタ５７を有する脚５６が設けられている。さらに、寝台５２の下部に、寝台５２の長手方向と直角方向に対向して１対のレール６５、６５が脚５６に固定されている。
【００１３】
静磁場発生装置５１に固定された取付け金具６１にはスライドガイド６２が設けられ、ねじ６３を用いて寝台５２の取付けプレート６０をスライドガイド６２に固定することにより、静磁場発生装置５１内の、発生磁束と略直交する所定位置に対して、寝台５２を縦方向に配置可能とすると共に、天板５４はスライドガイドによって矢印Ｘ方向に移動可能のように構成している。
【００１４】
但し、取付け金具６１と静磁場発生装置５１との関係位置は、ガントリによる発生磁束と直交する方向であれば、図２に示す位置に限定されるものではない。
【００１５】
天板５４の後部に設けたハンドル５９を回転させると、ハンドル５９と係合している図示しないピニオンが、サイドフレーム５３に固定している図示しないラックと噛み合うことによって、天板５４が移動しないようロックすることができる。また寝台５２はキャスタ５７を付設しているため、ペダル５８を踏むことによってキャスタ５７をロックすることが可能である。
【００１６】
次に、図３、図４により寝台５２の横配置の場合の移動案内機構について説明する。図４に示すように、静磁場発生装置５１にはガイド６４が設けられ、寝台５２に付設したレール６５、６５が、ガイド６４、６４上をスライド可能のように係装固定されている。これにより、図３のように横に配置した寝台５２は、ガイド６４に沿って矢印Ｙ方向へ移動し、静磁場発生装置５１内の、発生磁束と直交する所定位置方向に対して、寝台５２を横方向に配置されるよう、内部に引き入れることが可能のように構成されている。
【００１７】
上記の通り、本発明に係る寝台５２の使用により、磁気共鳴イメージング装置を設置した室内の大きさや各種の機器の配置状態に対応して最適なガントリと寝台のレイアウトを得ることが容易になり、ＩＶＲ等の操作空間を拡大するに好適な磁気共鳴イメージング装置を提供することができる。
【００１８】
【発明の効果】
本発明の実施により、磁気共鳴イメージング装置内の発生磁束と直交する所定位置の方向に対して、寝台を縦配置、または、横配置となるように自在に選択して設定することが可能になり、被検体を診断装置内に移送するとき、寝台自体も共に移送できるから、限られた診断装置室内の操作空間が拡大すると共に室内装置の設置効率が向上する。
【図面の簡単な説明】
【図１】本発に係る磁気共鳴イメージング装置の全体構成を示すブロック図である。
【図２】本発明に係る静磁場発生装置内の発生磁束と直交する所定位置方向に対して寝台を縦方向に配置した斜視図である。
【図３】本発明に係る静磁場発生装置内の発生磁束と直交する所定位置方向に対して寝台を横方向に配置した斜視図である。
【図４】図３における寝台の移動案内機構を示す斜視図である。
【符号の説明】
１…被検体            ２…静磁場発生系        ３…傾斜磁場発生系
４…送信系            ５…受信系              ６…信号処理系
７…シーケンサ        ８…ＣＰＵ              ９…傾斜磁場コイル
１０…傾斜磁場電源    １１…高周波発振器      １２…変調器
１３…増幅器      １４ａ…高周波送信コイル  １４ｂ…高周波受信コイル
１５…増幅器          １６…直交移送検波器    １７…Ａ／Ｄ変換器
１８…磁気ディスク    １９…磁気テープ        ２０…ディスプレイ
５１…静磁場発生装置  ５２…寝台  ５３…サイドフレーム
５４…天板      ５５…ベースフレーム  ５６…脚
５７…キャスタ  ５８…ペダル          ５９…ハンドル
６０…プレート  ６１…取付け金具      ６２…スライドガイド
６３…ねじ      ６４…ガイド          ６５…レール
【図１】
0003779036.tif 000002
【図２】
0003779036.tif 000003
【図３】
0003779036.tif 000004
【図４】
0003779036.tif 000005